(57)【要約】【課題】容易にタイマー撮影を行え、更に撮影した画データを直ちに共有することが可能なカメラ付き携帯電話装置を提供する。【解決手段】着信時に、制御回路が発呼側の電話番号データと第２格納部に格納されている電話番号とを比較し、一致すると判定すると（Ｓ２ステップ）、制御回路は撮影処理を行い（Ｓ３ステップ）、更に、制御回路は、第２格納部にデータ転送オンを示す情報が格納されていると判定すると（Ｓ４ステップ）、撮影された画データを発呼してきた相手側へ自動的送信するように制御を行う（Ｓ５ステップ）。【選択図】　　　　図２
2004128970.tif 000002
【特許請求の範囲】
【請求項１】
予め相手側情報を格納する格納手段と、撮影手段と、着呼時に前記格納手段に格納された相手側からの着呼があると判定すると、撮影を行うように前記撮影手段を制御する制御手段と、を有することを特徴とするカメラ付き携帯電話装置。
【請求項２】
請求項１記載のカメラ付き携帯電話装置であり、
データの送受信を行う送受信手段を有し、前記制御手段は、着呼に応じて前記撮影手段により撮影された画データを発呼してきた相手側へ送信するよう前記送受信手段を制御することを特徴とするカメラ付き携帯電話装置。
【発明の詳細な説明】
【０００１】
【発明の属する技術分野】
本発明は、カメラ付き携帯電話装置に関する。
【０００２】
【従来の技術】
近年では、携帯電話装置に様々な機能が搭載されている。例えば、メールを作成して送信可能なメール機能、好きなメロディーを着信音にすることが可能な着信メロディー機能、指定した時間に好みのメロディーを流すことが可能な目覚まし機能、等が搭載されている。
【０００３】
又、近年では、カメラを搭載した携帯電話装置が提案されており（特許文献１）、更に、実際にカメラを搭載した携帯電話装置が製品化されている。
【０００４】
ユーザは、このような携帯電話装置を用いて風景や人物などを写し、例えば電子メール等に写した画像データを添付することにより、相手側に画像データを送信することが可能である。
【０００５】
【特許文献１】
特開平１０−６５７８０号公報（第３頁、第６図）
【０００６】
【発明が解決しようとする課題】
通常のカメラ付き携帯電話装置では、タイマー操作実行から所定の時間後に自動的にシャッターが切れる所謂タイマー撮影を行う場合、ユーザは、カメラ付き携帯電話装置を机等の安定した場所の上に置き、タイマー操作を実行した後に撮影位置につかなければならない。
【０００７】
しかし、このタイマー撮影では、ユーザが機能に熟知していなければ、タイマー操作を行ってから何秒後にシャッターが切れるかわからず、所定の時間内に撮影位置に着くことができない場合がある。
【０００８】
又、せっかく携帯電話装置を安定した場所に置いても、ユーザがタイマー撮影の操作を行うことにより、携帯電話装置のカメラの向く方向がずれることもある。
【０００９】
【課題を解決するための手段】
本発明はこのような課題を解決する為のものであり、請求項１記載のカメラ付き携帯電話装置は、予め相手側情報を格納する格納手段と、撮影手段と、着呼時に前記格納手段に格納された相手側からの着呼があると判定すると、撮影を行うように前記撮影手段を制御する制御手段と、を有することを特徴とする。
【００１０】
請求項２記載のカメラ付き携帯電話装置は、請求項１記載のカメラ付き携帯電話装置であり、データの送受信を行う送受信手段を有し、前記制御手段は、着呼に応じて前記撮影手段により撮影された画データを発呼してきた相手側へ送信するよう前記送受信手段を制御することを特徴とする。
【００１１】
【発明の実施の形態】
本発明を適用してなる実施例装置は、予め登録された電話装置から呼び出しがあると撮影動作を行うものである。又、ユーザの設定に応じて、撮影した画データを発呼した相手側へ自動的に送信するものである。
【００１２】
図１は、本発明を適用してなる実施例装置であるカメラ付き携帯電話装置のブロック図である。
【００１３】
図１において、通信部１は、後述するベースバンド部３からの信号をアンテナ２を介して基地局へ発信したり、アンテナ２を介して基地局からの電波を受信したりする。
【００１４】
ベースバンド部３は、ＣＤＭＡ（Ｃｏｄｅ　Ｄｉｖｉｓｉｏｎ　Ｍｕｉｔｉｐｌｅ　Ａｃｃｅｓｓ）処理回路３１と、音声コーデック処理回路３２とを有する。前記ＣＤＭＡ処理回路３１は、符号分割多元接続、スクランブル、誤り制御、タイミング検出等を行う。前記音声コーデック処理回路３２は、音声を圧縮（符号化）、伸長（復号化）したり、アナログ信号とデジタル信号の変換を行ったり、内部の増幅回路（図示せず）により受話音量やマイクロホンの感度を変更する。
【００１５】
通話に使用されるスピーカ４は、アンプ５で増幅された切替回路１０からの電気信号を音声信号に変換する。通話に使用されるマイクロホン６は、音声信号を電気信号に変換しアンプ７へ出力する。又、アンプ７により増幅された電気信号は、切替回路１０に出力される。更に、スピーカ８は、アンプ９にて増幅された呼び出し音やメロディーを出力する。
【００１６】
切替回路１０は、３つのアンプ５、７、９とベースバンド部３との接続を後述する制御回路１１の制御によりＯＮ／ＯＦＦする。尚、これらの増幅回路はゲインを固定しており、受話音量やキークリック音量やマイクロホンの感度を変更することはできない。受話音量やキークリック音量やマイクロホンの感度の変更は、制御回路１１の制御によりベースバンド部３の音声コーデック３２が行う。
【００１７】
マイクロプロセッサからなる制御回路１１は、例えばＲＯＭ（Ｒｅａｄ　Ｏｎｌｙ　Ｍｅｍｏｒｙ）からなる第１格納部１２に格納されたシステムプログラムに基づいて、各部を制御する。
【００１８】
第２格納部１３は、例えばＳＲＡＭ（Ｓｔａｔｉｃ　Ｒａｎｄｕｍ　Ａｃｃｅｓｓ　Ｍｅｍｏｒｙ）からなり、相手側の電話番号と氏名を複数格納可能であり、又、特定の相手側からの着信がある場合に自動的にシャッターを切る（後述するＣＣＤ１７を用いて撮影を行う）為の電話番号を格納可能である。更に、撮影した画データを発呼してきた相手側へ送信するか否かを示す情報を格納する。
【００１９】
表示部１４は、例えば液晶表示装置からなり、文字や数字データを表示可能なだけではなく画データも表示可能である。
【００２０】
入力部１５は、通話キー、切キー、テンキー、電源キー等からなる。
【００２１】
画処理部１６は、ＣＣＤ（Ｃｈａｒｇｅ　Ｃｏｕｐｌｅｄ　Ｄｅｖｉｃｅｓ）１７から入力した画データを制御回路１１に出力すると共に、例えば、ＲＧＢからなる３色のＬＥＤによって構成されたフラッシュ１８に発光するように指示する信号を出力する。
【００２２】
次に、本実施例装置の動作について説明する。
【００２３】
図２は、撮影を行うように指示する発呼側の電話番号を登録する際の表示部１４の表示形態、及び登録した電話番号へ撮影した画データを送信するか否かを決定する際の表示部１４の表示形態を示している。
【００２４】
尚、以下では、所定の相手側から着信があると撮影を行う動作を着信フラッシュと称し、又、撮影した画像を、発呼してきた相手側へ転送する動作をデータ転送と称す。
【００２５】
ユーザが、撮影を行うように指示する相手側の電話番号を登録する際には、ユーザが前記電話番号登録の開始指示を操作することにより、表示部１４には、“着信フラッシュオン”と表示され（図２（ａ））、ユーザが“オン”へカーソルを移動させ決定操作を行うと、表示部１４には、“電話番号を入力して下さい”と表示され（図２（ｂ））、ユーザが電話番号を入力することにより、着信フラッシュを起動させる為の発呼側電話番号が入力される。尚、このとき、第２格納部１３には、入力された電話番号が格納される。
【００２６】
続いて、図２（ｃ）に示すように、表示部１４に、“データ転送オン”の表示がなされ、ユーザが“オン”へカーソルを移動させ決定操作を行うと、表示部１４には“データ転送オン登録しました。”と表示され（図２（ｄ））、登録操作が終了する。尚、このとき、データ転送オンであることを示す情報が第２格納部１３へ格納される。
【００２７】
このような登録操作の終了後の本実施例装置の動作を、図３のフロー図を用いて説明する。
【００２８】
Ｓ１ステップでは、制御回路１１は、ベースバンド部３から着信があることを示す信号を検出すると、Ｓ２ステップへ処理を進める。
【００２９】
Ｓ２ステップでは、制御回路１１は、ベースバンド部３から、発呼側の電話番号データを入力し、入力した電話番号と一致する電話番号が第２格納部１３に格納されていると判定すると、Ｓ３ステップへ処理を進め、そうでなければ、Ｓ６ステップへ処理を進める。
【００３０】
Ｓ３ステップでは、制御回路１１は、画処理部１６を制御することにより、ＣＣＤ１７に画データを撮影させる。具体的には、制御回路１１は、ＣＣＤ１７から入力された画データを画処理部１６を介して入力し、第２格納部１３に一旦格納すると共に、表示部１４に表示させる。尚、ここで撮影される画データは、静止画でも良いし、動画でも良い。
【００３１】
続くＳ４ステップでは、制御回路１１は、第２格納部１３にデータ転送オンを示す情報が格納されていると判定すると、Ｓ５ステップへ処理を進め、そうでなければ、処理を終了する。
【００３２】
Ｓ５ステップでは、制御回路１１は、撮影された画データを前記Ｓ１ステップにて発呼してきた相手側へ送信する制御を行う。具体的には、制御回路１１は、第２格納部１３へ格納された画データを読み込み、前記Ｓ２ステップにて一致した電話番号先へ読み込んだ画データを送信するように、ベースバンド部３及び電話通信部１を制御する。
【００３３】
Ｓ６ステップでは、制御回路１１は、スピーカ８から呼出音を出力させ、Ｓ７ステップへ処理を進める。
【００３４】
Ｓ７ステップでは、制御回路１１は、入力部１５から通話キーが押下されたことを示す信号を検出するとＳ８ステップへ処理を進め、そうでなければ、Ｓ６ステップへ処理を戻す。
【００３５】
Ｓ８ステップでは、制御回路１１は、電話通信部１とベースバンド部３を制御することにより発呼側との間で無線接続させると共に、切換回路１０を制御し、ベースバンド部３とスピーカ４及びマイク６との間で通話路を形成することにより、発呼側とユーザとの間で通話可能な状態にする。
【００３６】
続くＳ９ステップでは、制御回路１１は、入力部１５から切キーの押下を検出するか或いは、ベースバンド部３が相手側から回線を切断することを示す信号を検出したと判定すると、処理を終了し、そうでなければ、Ｓ８ステップへ処理を戻す。
【００３７】
以上説明したように、本実施例装置は、予め登録された相手側から着信があると撮影を実行する為、ユーザが予め撮影位置にいる状態でカメラ付き携帯電話装置に対して撮影実行の指示を行うことができる。又、携帯電話装置を安定した場所に置いてから、携帯電話装置に触れることなく撮影指示を行うことができる為、タイマー撮影の操作を行うことにより、携帯電話装置のカメラの向く方向がずれるといった問題も生じない。
【００３８】
更に、撮影した画データは、発呼してきた（撮影を指示した）相手側の端末へ自動的に送信される為、一々撮影した画データを相手側に送信する必要がなく、直ちに同じ情報を友達等と共有することができる。
【００３９】
尚、本実施例では、受信した電話番号と一致する電話番号が第２格納部１３に格納されている場合に撮影を行う構成としたが、受信した相手側の名称と一致する名称が第２格納部１３に格納されている場合に撮影を行う構成としても良く、例えば、受信したメールアドレスと一致するメールアドレスが第２格納部１３に格納されている場合に撮影を行う構成とすることもできる。
【００４０】
【発明の効果】
本発明では、容易にタイマー撮影を行い、更に撮影した画データを直ちに共有することを可能にする。
【図面の簡単な説明】
【図１】本発明を適用してなる実施例装置のブロック図である。
【図２】表示部１４の表示形態図である。
【図３】本実施例装置のフロー図である。
【符号の説明】
１　電話通信部
３　ベースバンド部
１１　制御回路
１３　第２格納部
１４　表示部
１５　入力部
１７　ＣＣＤ
【図１】
2004128970.tif 000003
【図２】
2004128970.tif 000004
【図３】
2004128970.tif 000005